(57)【要約】【課題】遠隔地の送信局の無人化を図る手段を提供する。【解決手段】遠隔制御システムが、連続データを複数に分割してパケットを生成する送信局接続装置と、パケットを分割して複数のＡＴＭセルを生成する送信局ＡＴＭ端末と、送信局接続装置に接続する送信局端末とを設けた送信局と、複数のＡＴＭセルをパケットに復元する受信局ＡＴＭ端末と、パケットを連続データに復元する受信局接続装置と、送信局接続装置への動作指示を出力する受信局端末とを設けた受信局とを備え、送信局ＡＴＭ端末と受信局ＡＴＭ端末とをＡＴＭ通信網を介して接続すると共に送信局端末と受信局端末とを公衆網を介して接続し、受信局端末が出力した送信局接続装置に対する動作指示を公衆網を介して送信局端末へ送信し、送信局端末が送信局接続装置へ動作指示を転送し、この動作指示に基づく送信局接続装置の動作結果を送信局端末が前記公衆網を介して前記受信局端末へ応答し、受信局端末がこの応答を表示する。【選択図】        図１
2005348263.tif 000002
【特許請求の範囲】
【請求項１】
連続したデータを複数に分割してパケットを生成する送信局接続装置と、前記パケットを分割して複数のＡＴＭ（Ａｓｙｎｃｒｏｎｏｕｓ  Ｔｒａｎｓｆｅｒ  Ｍｏｄｅ）セルを生成する送信局ＡＴＭ端末と、前記送信局接続装置に接続する送信局端末とを設けた送信局と、
前記複数のＡＴＭセルをパケットに復元する受信局ＡＴＭ端末と、前記パケットを前記連続したデータに復元する受信局接続装置と、前記送信局接続装置への動作指示を出力する受信局端末とを設けた受信局とを備え、
前記送信局ＡＴＭ端末と前記受信局ＡＴＭ端末とをＡＴＭ通信網を介して接続すると共に、前記送信局端末と前記受信局端末とを公衆網を介して接続し、
前記受信局端末が出力した前記送信局接続装置に対する動作指示を前記公衆網を介して前記送信局端末へ送信し、該送信局端末が前記送信局接続装置へ該動作指示を転送し、該動作指示に基づく前記送信局接続装置の動作結果を前記送信局端末が前記公衆網を介して前記受信局端末へ応答し、前記受信局端末が該応答を表示することを特徴とする遠隔制御システム。
【請求項２】
請求項１において、
前記公衆網が、インターネット回線であることを特徴とする遠隔制御システム。
【請求項３】
請求項１において、
前記公衆網が、ＡＤＳＬ（Ａｓｙｍｍｅｔｒｉｃａｌ  Ｄｉｇｉｔａｌ  Ｓｕｂｓｃｒｉｂｅｒ  Ｌｉｎｅ）回線であることを特徴とする遠隔制御システム。
【請求項４】
連続したデータを複数に分割してパケットを生成する送信局接続装置と、前記パケットを分割して複数のＡＴＭセルを生成すると共にＡＴＭセルをパケットに復元する送信局ＡＴＭ端末と、前記送信局接続装置に接続する送信局端末とを設けた送信局と、
前記複数のＡＴＭセルをパケットに復元すると共にＡＴＭセルを生成する受信局ＡＴＭ端末と、前記パケットを前記連続したデータに復元する受信局接続装置と、前記受信局接続装置と接続すると共に前記送信局接続装置への動作指示を出力する受信局端末とを設けた受信局とを備え、
前記送信局ＡＴＭ端末と前記受信局ＡＴＭ端末とをＡＴＭ通信網を介して接続し、
前記送信局接続装置への動作指示をパケットから分離する分離部を前記送信局接続装置に設けると共に、前記送信局接続装置への動作指示に対する前記送信局端末からの応答をパケットから分離する分離部を前記受信局接続装置に設け、
前記受信局端末が前記送信局接続装置に対する動作指示を前記受信局接続装置へ出力し、該受信局接続装置が該動作指示を書込んだパケットを生成し、該パケットを前記受信局ＡＴＭ端末がＡＴＭセルに生成して前記ＡＴＭ通信網を介して前記送信局ＡＴＭ端末に送信し、該送信局ＡＴＭ端末が該ＡＴＭセルをパケットに復元し、前記送信局接続装置の分離部が該動作指示を分離して前記送信局端末へ出力し、該送信局端末が前記送信局接続装置へ該動作指示を転送し、該動作指示に基づく前記送信局接続装置の動作結果を前記送信局端末が前記受信局端末への応答として前記送信局接続装置へ出力し、該送信局接続装置が該応答を書込んだパケットを生成し、該パケットを前記送信局ＡＴＭ端末がＡＴＭセルに生成して前記ＡＴＭ通信網を介して前記受信局ＡＴＭ端末に送信し、該受信局ＡＴＭ端末が該ＡＴＭセルをパケットに復元し、前記受信局接続装置の分離部が該応答を分離して前記受信局端末へ出力し、該受信局端末が該応答を表示することを特徴とする遠隔制御システム。
【請求項５】
連続したデータを複数に分割してパケットを生成する送信局接続装置と、前記パケットを分割して複数のＡＴＭセルを生成する送信局ＡＴＭ端末と、前記送信局接続装置と送信局ＡＴＭ端末に接続する送信局端末とを設けた送信局と、
前記複数のＡＴＭセルをパケットに復元する受信局ＡＴＭ端末と、前記パケットを前記連続したデータに復元する受信局接続装置と、前記受信局ＡＴＭ端末に接続すると共に前記送信局接続装置への動作指示を出力する受信局端末とを設けた受信局とを備え、
前記送信局ＡＴＭ端末と前記受信局ＡＴＭ端末とをＡＴＭ通信網を介して接続し、
前記受信局ＡＴＭ端末に、ＡＴＭセルに前記送信局接続装置への動作指示と前記送信局端末の識別子とを書込む動作指示書込手段と、前記送信局端末からの前記動作指示に対する応答を分離する応答分離手段を設けると共に、前記送信局ＡＴＭ端末に、ＡＴＭセルに前記応答と前記受信局端末の識別子とを書込む応答書込手段と前記動作指示を分離する動作指示分離手段を設け、
前記受信局端末が前記送信局接続装置に対する動作指示を前記受信局ＡＴＭ端末へ出力し、該受信局ＡＴＭ端末が該動作指示と前記送信局端末の識別子とを書込んだＡＴＭセルを生成して前記ＡＴＭ通信網を介して前記送信局ＡＴＭ端末に送信し、該送信局ＡＴＭ端末が該ＡＴＭセルの識別子により該動作指示を分離して前記送信局端末へ出力し、該送信局端末が前記送信局接続装置へ該動作指示を転送し、該動作指示に基づく前記送信局接続装置の動作結果を前記送信局端末が前記受信局端末への応答として前記送信局ＡＴＭ端末へ出力し、該送信局ＡＴＭ端末が該応答と前記受信局端末の識別子とを書込んだＡＴＭセルを生成して前記ＡＴＭ通信網を介して前記受信局ＡＴＭ端末に送信し、該受信局ＡＴＭ端末が該ＡＴＭセルの前記受信局端末の識別子により該応答を分離して前記受信局端末へ出力し、該受信局端末が該応答を表示することを特徴とする遠隔制御システム。
【発明の詳細な説明】
【技術分野】
【０００１】
本発明は、遠隔地に設置された複数の送信局と受信局とを接続して受信局から送信局の装置を制御する遠隔制御システムに関する。
【背景技術】
【０００２】
従来のＶＬＢＩ（Ｖｅｒｙ  Ｌｏｎｇ  Ｂａｓｅｌｉｎｅ  Ｉｎｔｅｒｆｅｒｏｍｅｔｏｒｙ）観測システムにおいては、遠隔地にある複数の送信局に設置されたサンプラ装置から出力される観測データをＡＴＭ端末によりＡＴＭセルに変換し、これを光ケーブルを用いたＡＴＭ（Ａｓｙｎｃｒｏｎｏｕｓ  Ｔｒａｎｓｆｅｒ  Ｍｏｄｅ）通信網により受信局へ送信し、受信局ではＡＴＭ端末によりこれを観測データに変換し、これをデータ処理装置へ入力して観測データのリアルタイムの相関処理を行っている（例えば、非特許文献１参照。）。
【非特許文献１】高橋冨士信  他２名著、「ウェーブサミット講座  ＶＬＢＩ技術」、第１版、株式会社オーム社、平成９年６月１０日、ｐ４およびｐ．１１２−１１４
【発明の開示】
【発明が解決しようとする課題】
【０００３】
しかしながら、上述した従来の観測システムにおいては、複数の送信局が同時に観測を行う必要があるため、受信局の担当係員は各送信局に駐在する観測員に電話等を用いてその観測開始時刻を通知し、互いに観測開始時刻を確認した後に観測を開始する必要があり、送信局を無人化することが困難であるという問題がある。
このことは、特に離島や僻地等に設置された送信局の観測員の多大な負担を強いることになっている。
【０００４】
本発明は、上記の問題点を解決するためになされたもので、遠隔地の送信局の無人化を図る手段を提供することを目的とする。
【課題を解決するための手段】
【０００５】
本発明は、上記課題を解決するために、遠隔制御システムが、連続したデータを複数に分割してパケットを生成する送信局接続装置と、前記パケットを分割して複数のＡＴＭセルを生成する送信局ＡＴＭ端末と、前記送信局接続装置に接続する送信局端末とを設けた送信局と、前記複数のＡＴＭセルをパケットに復元する受信局ＡＴＭ端末と、前記パケットを前記連続したデータに復元する受信局接続装置と、前記送信局接続装置への動作指示を出力する受信局端末とを設けた受信局とを備え、前記送信局ＡＴＭ端末と前記受信局ＡＴＭ端末とをＡＴＭ通信網を介して接続すると共に、前記送信局端末と前記受信局端末とを公衆網を介して接続し、前記受信局端末が出力した前記送信局接続装置に対する動作指示を前記公衆網を介して前記送信局端末へ送信し、該送信局端末が前記送信局接続装置へ該動作指示を転送し、該動作指示に基づく前記送信局接続装置の動作結果を前記送信局端末が前記公衆網を介して前記受信局端末へ応答し、前記受信局端末が該応答を表示することを特徴とする。
【発明の効果】
【０００６】
このように、本発明は、送信局端末と受信局端末を接続して動作指示やその応答の送受を可能にしたことによって、受信局の担当者は遠隔地の送信局の状況を把握して観測データ等の送信や停止等の動作指示を行うことが可能になり、送信局の無人化を図ることができるという効果が得られる。
【発明を実施するための最良の形態】
【０００７】
以下に、図面を参照して本発明による遠隔制御システムの実施例について説明する。
【実施例１】
【０００８】
図１は実施例１の遠隔制御システムを示すブロック図である。
図１において、１はサンプラ装置であり、送信局に設置され、電波星等からの信号を図示しないアンテナで受信したデータ（観測データという。）をＡＤ変換してＶＳＩ（ＶＬＢＩ  Ｓｔａｎｄａｒｄ  Ｉｎｔｅｒｆａｃｅ）形式のデータ等の連続したデータ（連続データという。）を生成する機能（連続データ生成手段）を有している。
【０００９】
２は送信局に設置された送信局接続装置であり、サンプラ装置１から出力された連続データをデータポート３ａで受取り、この連続データを複数に分割し、一連のパケット番号等を書込んだパケットを生成して出力ポート３ｂから出力する等の機能（パケット生成手段）および入力ポート３ｃから受取った複数のパケットからパケット番号を基にパケットに含まれる分割された連続データをつなぎ合わせて連続データに復元して接続ポート３ｄから出力する等の機能（連続データ復元手段）を有している。
【００１０】
４はマイクロプロセッサ等の送信局接続制御部であり、送信局接続装置２内の各部を制御すると共に、格納されている各種の機能を有するプログラムによりハードウェアとしての各種の機能手段を形成する機能を有している。
５は送信局に設置された送信局ＡＴＭ端末であり、パケットを複数のＡＴＭ（Ａｓｙｎｃｒｏｎｏｕｓ  Ｔｒａｎｓｆｅｒ  Ｍｏｄｅ）セルに分割して光ケーブルを用いたＡＴＭ通信網６へ送出する等の機能（ＡＴＭセル生成手段）およびＡＴＭ通信網６から受信した複数のＡＴＭセルをつなぎ合わせてパケットに復元して出力する等の機能（パケット復元手段）を有している。
【００１１】
ＡＴＭ通信網６は、例えばＯＣ−４８（Ｏｐｔｉｃａｌ  Ｃａｒｒｉｅｒ  Ｌｅｖｅｌ  ４８：伝送速度２．５Ｇｂｐｓ）であり、大量のデータを高速で伝送することが可能な通信網である。
ＡＴＭ通信網６による接続は、ＶＣＩ（Ｖｉｒｔｕａｌ  Ｃｈａｎｎｅｌ  Ｉｄｅｎｔｉｆｉｅｒ：仮想チャンネル識別子）を付したＶＣ接続等により行われ、送信局と受信局との間のデータの送受はそれぞれ独立した伝送経路により接続されている。
【００１２】
７は送信局に設置された送信局端末であり、後述する受信局端末１７との間の接続によりその画面を共有する機能（画面共有手段）を有するプログラム（例えば、Ｘウィンドウ（米国マサチューセッツ工科大学の商標名））等が組込まれたパーソナルコンピュータ等であって、ＬＡＮ（Ｌｏｃａｌ  Ａｒｅａ  Ｎｅｔｗｏｒｋ）を介して送信局接続装置２に接続すると共に、モデムやブロードバンドルータ等の送信局終端装置８を介してＡＤＳＬ（Ａｓｙｍｍｅｔｒｉｃａｌ  Ｄｉｇｉｔａｌ  Ｓｕｂｓｃｒｉｂｅｒ  Ｌｉｎｅ）回線等の公衆網９に接続し、その表示部が表示手段として、そのキーボードやマウス等が入力手段として機能する他、ＬＡＮおよび送信局接続装置２のＬＡＮポート３ｅを介して送信局接続制御部４への動作指示を転送する動作指示転送手段として機能する。
【００１３】
上記のパケット生成手段や連続データ復元手段、ＡＴＭセル生成手段、パケット生成手段、画面共有手段、動作指示転送手段等の各機能手段は、これらの機能を有するプログラムと送信局接続制御部４や各装置の制御部とにより形成されるハードウェアにより実行される。
また、送信局接続装置２、送信局ＡＴＭ端末５、送信局端末７により連続データの送信システムとして機能する送信局システムが構成されている。
【００１４】
１２は受信局に設置された受信局接続装置であり、データポート１３ａで受取った連続データを複数に分割し、一連のパケット番号等を添付したパケットを生成して出力ポート１３ｂから出力する等の機能（パケット生成機能）および入力ポート１３ｃから受取った複数のパケットからパケット番号を基にパケットに含まれる分割された連続データをつなぎ合わせて連続データに復元して接続ポート１３ｄから出力する等の機能（連続データ復元手段）を有している。出力された連続データはデータ処理装置１１へ送られてそのデータ処理がなされる。
【００１５】
１４はマイクロプロセッサ等の受信局接続制御部であり、受信局接続装置１２内の各部を制御すると共に、格納されている各種の機能を有するプログラムによりハードウェアとしての各種の機能手段を形成する機能を有している。
１５は受信局に設置された受信局ＡＴＭ端末であり、パケットを複数のＡＴＭセルに分割してＡＴＭ通信網６へ送出する等の機能（ＡＴＭセル生成手段）およびＡＴＭ通信網６から受信した複数のＡＴＭセルをつなぎ合わせてパケットに復元して出力する等の機能（パケット復元手段）を有している。
【００１６】
１７は受信局に設置された受信局端末であり、送信局端末７との間の接続によりその画面を共有する機能（画面共有手段）を有するプログラム等が組込まれたパーソナルコンピュータ等であって、ＬＡＮを介して受信局接続装置１２に接続すると共にモデムやブロードバンドルータ等の受信局終端装置１８を介して公衆網９に接続し、その表示部が表示手段として、そのキーボードやマウス等が入力手段として機能する他、ＬＡＮ、受信局接続装置１２のＬＡＮポート１３ｅを介してまたは受信局終端装置１８を介して送信局接続制御部４への動作指示を出力する動作指示出力手段として機能する。
【００１７】
上記のパケット生成手段や連続データ復元手段、ＡＴＭセル生成手段、パケット生成手段、画面共有手段、動作指示出力手段等の各機能手段は、これらの機能を有するプログラムと受信局接続制御部１４や各装置の制御部とにより形成されるハードウェアにより実行される。
また、受信局接続装置１２、受信局ＡＴＭ端末１５、受信局端末１７により各送信局から送信される送信データを受信する受信システムとして機能する受信局システムが構成されている。
【００１８】
上記の構成の作用について説明する。
本実施例の送信局は無人であり、受信局には担当係員が駐在している。
受信局の受信局端末１７の画面には画面共有手段により各送信局の状態を示す表示、例えば観測データの送信を開始したことを示す「開始」表示、観測データの送信を停止していることを示す「停止」表示等や送信局へ送信したデータのパケット数を確認する動作指示を行うための「送信パケット数」ボタン等が送信局毎の表示領域に表示される。
【００１９】
なお、この「開始」表示や「停止」表示は送信局へ観測データの送信の開始や停止の動作指示を行うための動作指示ボタンとしても機能する。
担当係員は、送信局へ観測データの送信の開始を指示するときは「開始」表示を、観測データの送信の停止を指示するときは「停止」表示を、送信されたパケット数の確認を指示するときは「送信パケット数」ボタンをマウス等により選択してその動作指示を入力する。
【００２０】
一方、無人の送信局の送信局端末７の画面には画面共有手段により受信局端末１７と同様の表示、例えば観測データの送信を開始したことを示す「開始」表示、観測データの送信を停止していることを示す「停止」表示等が表示されている。
受信局の担当係員は、定期的または必要に応じて観測を開始するときは、受信局端末１７の画面に表示されている該当する送信局の「開始」表示をマウス等により選択してその動作指示を入力する共に送信開始時刻等を入力する。
【００２１】
これを認識した受信局端末１７は選択された「開始」表示によりその送信局を特定し、格納されているアドレス表からその送信局のアドレスを読出すと共に入力された送信開始時刻を記した動作指示としてのデータ送信指示を作成し、作成したデータ送信指示に読出したアドレスを付して受信局終端装置１８を介して公衆網９へ送出する。
送信局の送信局終端装置８はデータ送信指示に付されたアドレスにより自局宛てのデータ送信指示を認識し、これを受信して送信局端末７へ転送する。
【００２２】
データ送信指示の転送を受けた送信局端末７は、そのデータ送信指示を送信局接続端末２へ転送するためにデータ送信指示をＬＡＮへ出力し、これをＬＡＮポート３ｅを介して受取った送信局接続制御部４は、送信局に備えられた水素メーザ原子時計等の正確な時計によりデータ送信指示の送信開始時刻を計時してその時刻が到来した時に、データポート３ａから入力されるサンプラ装置１が出力する連続データを複数に分割し、図２に示すパケットを生成すると共に送信局端末７へ動作結果としての送信開始通知を返送する。
【００２３】
送信局接続制御部４からの送信開始通知を受けた送信局端末７はその画面の「開始」表示を表示色を変更する等により表示する同時に、データ送信指示に対する応答としてこの表示色の変更等を画面変更通知として公衆網９により形成されている画面共有手段によって受信局端末１７へ送信し、受信局端末１７はその画面変更通知によりその画面の該当する送信局の表示領域の「開始」表示の表示色を変更する等して送信局の状態を受信局端末１７の画面に同時に表示する。これにより受信局の担当係員は居ながらにして送信局の状況を把握することが可能になる。
【００２４】
本実施例の送信局接続制御部４が生成するパケットは、図２に示すようにパケット番号や時刻情報等を書込むためのヘッダ部２１と分割した連続データを書込むためのデータ部２２とで構成された１４８８バイトのパケットであり、１秒分の連続データを送信するために１７７，７７８個のパケットが生成され、その個々のパケットのヘッダ部２１にはパケット番号として０〜１７７，７７７まで一連の番号が、時刻情報として連続データを取得した時刻（年、月、日、時、分、秒）が書込まれ、データ部２２には分割した連続データが書込まれる。
【００２５】
なお、ヘッダ部２１の他の部分にはＩＰ（Ｉｎｔｅｒｎｅｔ  Ｐｒｏｔｏｃｏｌ）ヘッダやＵＤＰ（Ｕｓｅｒ  Ｄａｔａｇｒａｍ  Ｐｒｏｔｏｃｏｌ）ヘッダ等の所定の情報が書込まれる。
このように生成されたパケットは出力ポート３ｂから出力され、送信局ＡＴＭ端末５へ送られる。
【００２６】
パケットを受取った送信局ＡＴＭ端末５は、このパケットを４８バイト毎に区切り、５バイトのセルヘッダを付した３１個のＡＴＭセルに分割してＡＴＭ通信網６へ送出する。
この時、最初から３０個目までのＡＴＭセルのセルヘッダには「００００」が、３１個目、つまり最終のＡＴＭセルのセルヘッダには「０００１」が書込まれ、一連のＡＴＭセルであることが識別される。
【００２７】
このようにして送出された１秒分の送信データは、｛４８（ヘッダ部２１）＋１４４０（データ部２２）＋５（セルヘッダ）ｘ３１（ＡＴＭセル個数）｝ｘ１７７７７８（パケット個数）ｘ８＝２．３３７Ｇｂｐｓであるので、例えばＯＣ−４８（２．５Ｇｂｐｓ）の帯域を確保することができる。
受信局においては、受信局ＡＴＭ端末１５がＡＴＭ通信網６からＡＴＭセルに分割されたパケットを受信し、一連のＡＴＭセルをそのセルヘッダにより認識し、これをつなぎ合わせてパケットに復元して受信局接続装置１２へ出力する。
【００２８】
受信局接続制御部１４は、入力ポート１３ｃから受取った複数のパケットの時刻情報により１秒分のパケットを認識し、認識した１秒分のパケットをパケット番号によりパケットに含まれる分割された連続データを並べてつなぎ合わせ、連続データに復元して接続ポート１３ｄからデータ処理装置１１へ出力する。
このようにして、無人の送信局で取得された観測データが受信局のデータ処理装置１１により処理される。
【００２９】
なお、受信局の担当係員が、送信済または送信中の観測データのパケット数の確認を要する場合には、受信局端末１７に表示されている該当する送信局の「送信パケット数」ボタンをマウス等により選択してその動作指示を入力する。
この動作指示は上記と同様にして公衆網９を介して送信局端末７に送信され、送信局端末７はこれを送信局接続制御部４に転送して送信済または送信中の観測データのパケット数の返信を受けてこれをその画面に表示すると共に動作指示に対する応答を画面共有手段により受信局端末１７へ送信し、受信局端末１７はその該当する送信局の表示領域に応答を同時に表示する。
【００３０】
また、担当係員が送信されている観測データの送信を停止する場合には、受信局端末に表示されている該当する送信局の「停止」表示をマウス等により選択してその動作指示を入力する。
この動作指示は前記と同様にして公衆網９を介して送信局端末７に伝えられ、送信局接続制御部４から停止の通知が返信されると、送信局端末７は開始の場合と同様にその画面の「停止」表示の表示色の変更等を行い、これを前記と同様に画面共有手段により応答として受信局端末１７へ送信し、受信局端末１７は応答を同時に表示する。
【００３１】
上記のようにして、本実施例の受信局による送信局の遠隔制御が行われる。
以上説明したように、本実施例では、送信局端末と受信局端末を設け、これらの端末を公衆網により接続して動作指示やその応答の送受を可能にしたことによって、受信局の担当者は遠隔地の送信局の状況を把握して観測データ等の送信や停止等の動作指示を行うことが可能になり、送信局の無人化を図ることができる。
【００３２】
なお、本実施例では公衆網はＡＤＳＬ回線として説明したが、同時性を必要としない遠隔制御システムに本実施例を適用する場合は、電話回線を用いたインターネット回線であってもよい。この場合の通信の接続は相手先の電話番号により行う。
【実施例２】
【００３３】
図３は実施例２の遠隔制御システムを示すブロック図である。
なお、上記実施例１と同様の部分は、同一の符号を付してその説明を省略する。
図３において、３１ａは送信局接続装置２に設けられた合成部であり、送信局接続装置２がデータポート３ａで受取ったサンプラ装置１から出力された連続データをパケットに分割する実施例１の送信局接続制御部４によるパケット生成手段と同様の機能に加えて、送信局接続制御部４がＬＡＮを介して送信局端末７から受取った受信局への動作指示や応答を特定のパケットに書込んで一連のパケットに組込む機能（応答等組込手段）を有している。
【００３４】
３２ａは送信局接続装置２に設けられた分離部であり、送信局接続装置２が入力ポート３ｃから受取ったパケットを連続の連続データに復元する実施例１の送信局接続制御部４による連続データ復元手段と同様の機能に加えて、特定のパケットに書込まれている受信局からの動作指示や応答等を分離してＬＡＮを介して送信局端末７へ出力する機能（動作指示等出力手段）を有している。
【００３５】
３１ｂは受信局接続装置１２に設けられた合成部であり、受信局接続装置１２がデータポート１３ａで受取った連続データをパケットに分割する実施例１の受信局接続制御部１４によるパケット生成手段と同様の機能に加えて、受信局接続制御部１４がＬＡＮを介して受信局端末１７から受取った送信局への動作指示や応答等を特定のパケットに書込んで一連のパケットに組込む機能（動作指示等組込手段）を有している。
【００３６】
３２ｂは受信局接続装置１２に設けられた分離部であり、受信局接続装置１２が入力ポート１３ｃから受取ったパケットを連続の連続データに復元する実施例１の受信局接続制御部１４による連続データ復元手段と同様の機能に加えて、特定のパケットに書込まれている送信局からの動作指示や応答等を分離してＬＡＮを介して受信局端末１７へ出力する機能（応答等出力手段）を有している。
【００３７】
本実施例の送信局端末７と受信局端末１７には実施例１と同様に画面共有手段が組込まれており、その同時表示の機能は、上記の合成部３１ａ、３１ｂや分離部３２ａ、３２ｂの各機能手段によりＡＴＭ通信網６を介して実行される。
上記の構成の作用について説明する。
本実施例の送信局端末７および受信局端末１７の表示内容は、上記実施例１と同様である。
【００３８】
また、本実施例の送信局接続装置２の合成部３１ａが連続データを送信する時に生成する一連のパケットは特定のパケット、例えば先頭のパケット（パケット番号０のパケット）のデータ部２２に受信局への動作指示や応答を書込むパケットが追加され、その後のパケット番号１〜１７７，７７８までのパケットに実施例１の送信局接続制御部４のパケット生成手段が生成する１７７，７７８個の一連のパケットと同様の内容が書込まれたパケットが続けられ、合計１７７，７７９個のパケットが生成される。このようにパケットを１個追加したとしても、送信局ＡＴＭ端末５から送信される送信データには１３Ｋｂｐｓが追加されるだけであるのでＡＴＭ通信網６の帯域を確保することができる。
【００３９】
受信局の担当係員が実施例１と同様にして受信局端末１７の「開始」表示を選択してその動作指示を入力すると共に送信開始時刻等を入力すると、これを認識した受信局端末１７は選択された「開始」表示によりその送信局を特定し、送信開始時刻を記したデータ送信指示を作成し、作成したデータ送信指示に特定した送信局名を付してＬＡＮを介して受信局接続制御部１４へ出力する。
【００４０】
このデータ送信指示を受取った受信局接続制御部１４はこれを合成部３１ｂへ転送し、合成部３１ｂはパケット番号を０とし、データ部２２に転送されたデータ送信指示を書込んだパケットを生成して出力ポート１３ｂにより受信局ＡＴＭ端末１５へ送られる。
パケットを受取った受信局ＡＴＭ端末１５は、実施例１の送信局ＡＴＭ端末５と同様にしてパケットをＡＴＭセルに分割してデータ送信指示に付されていた送信局名の送信局へのＡＴＭ通信網６の伝送経路へ送出する。
【００４１】
送信局においては、送信局ＡＴＭ端末５が実施例１の受信局ＡＴＭ端末１５と同様にしてＡＴＭ通信網６から受信した複数のＡＴＭセルをパケットに復元して送信局接続装置２へ出力する。
送信局接続装置２では入力ポート３ｃから受取ったパケットが分離部３２ａに送られ、分離部３２ａはパケットのデータ送信指示を分離して送信局接続制御部４へ出力し、送信局接続制御部４はこれを送信局端末７へ転送する。
【００４２】
データ送信指示の転送を受けた送信局端末７は、実施例１と同様にしてデータ送信指示を送信局接続制御部４へ転送し、これを受取った送信局接続制御部４は送信開始時刻が到来した時に連続データからパケットを生成すると共に送信局端末７へ送信開始通知を返送する。
この返信を受けた送信局端末７は、実施例１と同様にその画面の「開始」表示を表示色を変更する等により表示すると同時に、応答としての画面変更通知を送信局接続制御部４へ出力し、送信局接続制御部４はこれを合成部３１ａに転送する。
【００４３】
画面変更通知の転送を受けた合成部３１ａは、これを先頭のパケット、つまりパケット番号０のパケットのデータ部２２に転送された画面変更通知を書込み、その後に実施例１のパケット生成手段と同様にして分割した連続データ等を書込んだパケットを続けて一連のパケットを生成し、出力ポート３ｂから送信局ＡＴＭ端末５へ出力する。
パケットを受取った送信局ＡＴＭ端末５は、実施例１と同様にしてパケットを複数のＡＴＭセルに分割してＡＴＭ通信網６へ送出する。
【００４４】
受信局においては、受信局ＡＴＭ端末１５が実施例１と同様にして一連のＡＴＭセルをパケットに復元して受信局接続装置１２へ出力する。
受信局接続装置１２では、入力ポート１３ｃから受取った複数のパケットが分離部３２ｂに送られ、分離部３２ｂはパケット番号０のパケットから画面変更通知を分離して受信局接続制御部１４へ出力し、受信局接続制御部１４はこれを受信局端末１７へ転送する。
【００４５】
画面変更通知を受取った受信局端末１７はその画面の該当する送信局の表示領域の「開始」表示に表示色の変更等を表示する。
これにより、ＡＴＭ通信網６により画面共有手段が形成され、送信局端末７の表示が同時に受信局端末１７に表示され、受信局の担当係員は居ながらにして送信局の状況を把握することが可能になる。
【００４６】
上記と並行して分離部３２ｂは、実施例１の連続データ復元手段と同様にして受取ったパケット番号１以降のパケットを連続の連続データに復元して接続ポート１３ｄからデータ処理装置１１へ出力する。
このようにして、無人の送信局で取得された観測データが受信局のデータ処理装置１１により処理される。
【００４７】
なお、受信局の担当係員が、送信データのパケット数の確認を要する場合または観測データの送信を停止する場合には、上記と同様にして入力された動作指示がＡＴＭ通信網６を介して送信局端末７に伝えられ、送信局端末７は画面に表示したパケット数または「停止」表示の表示変更等の応答を画面共有手段により受信局端末１７へ送信して該当する送信局の表示領域に同時に表示する。
【００４８】
上記のようにして、本実施例の受信局による送信局の遠隔制御が行われる。
以上説明したように、本実施例では、ＡＴＭ通信網により送信局端末と受信局端末を接続して互いの指令や応答の送受を可能にしたことによって、上記実施例１と同様の効果を得ることができる。
【実施例３】
【００４９】
図４は実施例３の遠隔制御システムを示すブロック図である。
なお、上記実施例１と同様の部分は、同一の符号を付してその説明を省略する。
図４において、３５ａは指示送受部であり、送信局端末７に実装された送信局端末７と送信局ＡＴＭ端末５との間のデータの送受のためのインタフェース基板であって、例えばＯＣ−３ＮＩＣ（Ｏｐｔｉｃａｌ  Ｃａｒｒｉｅｒ  Ｌｅｖｅｌ  ３  Ｎｅｔｗｏｒｋ  Ｉｎｔｅｒｆａｃｅ  Ｃａｒｄ）である。
【００５０】
３５ｂは指示送受部であり、送信局端末７に実装された指示送受部３５ａと同様のインタフェース基板であって、受信局端末１７に実装されている。
本実施例の送信局端末７と受信局端末１７には実施例１と同様に画面共有手段が組込まれており、その同時表示の機能は、送信局ＡＴＭ端末５と受信局ＡＴＭ端末１５によりＡＴＭ通信網６を介して実行される。
【００５１】
本実施例の受信局ＡＴＭ端末１５には、上記実施例１の機能に加えて、ＡＴＭセルに送信局接続装置への動作指示と送信局端末を識別するための識別子Ｂとを書込む機能（動作指示書込手段）および送信局端末から送られる動作指示に対する応答を分離して受信局端末へ出力する機能（応答分離手段）が追加されている。
また、送信局ＡＴＭ端末５には、上記実施例１の機能に加えて、ＡＴＭセルに受信局端末１７からの動作指示に対する応答と受信局端末１７を識別するための識別子Ｄとを書込む機能（応答書込手段）と受信局端末１７から送られた動作指示を分離する機能（動作指示分離手段）が追加されている。
【００５２】
上記の構成の作用について説明する。
本実施例の送信局端末７および受信局端末１７の表示内容は、上記実施例１と同様である。
受信局の担当係員が実施例１と同様にして受信局端末１７の「開始」表示を選択してその動作指示を入力すると共に送信開始時刻等を入力すると、これを認識した受信局端末１７は選択された「開始」表示によりその送信局を特定し、送信開始時刻を記したデータ送信指示を作成し、作成したデータ送信指示に特定した送信局名を付して指示送受部３５ｂを介して受信局ＡＴＭ端末１５へ出力する。
【００５３】
このデータ送信指示を受取った受信局ＡＴＭ端末１５は、データ送信指示を書込んだＡＴＭセルを生成し、そのＡＴＭセルに送信局端末７の識別子Ｂを書込んでデータ送信指示に付されていた送信局名の送信局へのＡＴＭ通信網６の伝送経路へ送出する。なお送信局接続装置２へ出力されるＡＴＭセルには識別子Ａが書込まれる。
送信局においては、送信局ＡＴＭ端末５がＡＴＭ通信網６からＡＴＭセルを受信し、そのＡＴＭセルに書込まれている識別子Ｂによりその出力先を送信局端末７と認識してデータ送信指示を分離して送信局端末７へ転送する。
【００５４】
指示送受部３５ａによりデータ送信指示を受取った送信局端末７は、実施例１と同様にしてデータ送信指示を送信局接続制御部４へ転送し、これを受取った送信局接続制御部４は送信開始時刻が到来した時に連続データからパケットを生成して出力ポート３ｂから送信局ＡＴＭ端末５へ出力すると共に送信局端末７へ送信開始通知を返送する。
この返送を受けた送信局端末７は、実施例１と同様にその画面の「開始」表示を表示色を変更する等により表示すると同時に、応答としての画面変更通知を指示送受部３５ａを介して送信局ＡＴＭ端末５へ出力する。
【００５５】
送信局接続装置２からのパケットと、送信局端末７からの画面変更通知を受取った送信局ＡＴＭ端末５は、実施例１と同様にして送信局接続装置２からのパケットを複数のＡＴＭセルに分割してこれらのＡＴＭセルに受信局接続装置１２の識別子Ｃを書込み、送信局端末７からの画面変更通知を書込んだＡＴＭセルには受信局端末１７の識別子Ｄを書込んでＡＴＭ通信網６へ送出する。
【００５６】
受信局においては、受信局ＡＴＭ端末１５が受信したＡＴＭセルに書込まれている識別子Ｄによりその出力先を受信局端末１７と認識して画面変更通知を分離して受信局端末１７へ出力すると共にＡＴＭセルに書込まれている識別子Ｃによりその出力先を受信局接続装置１２と認識し、実施例１と同様にして一連のＡＴＭセルをパケットに復元して受信局接続装置１２へ出力する。
【００５７】
画面変更通知を受取った受信局端末１７はその画面の送信先の送信局の表示領域の「開始」表示に表示色の変更等を表示する。
これにより、送信局ＡＴＭ端末５、受信局ＡＴＭ端末１５を用いてＡＴＭ通信網６による画面共有手段が形成され、送信局端末７の表示が同時に受信局端末１７に表示され、受信局の担当係員は居ながらにして送信局の状況を把握することが可能になる。
【００５８】
また、受信局接続装置１２では、実施例１と同様にしてパケットを連続の連続データに復元して接続ポート１３ｄからデータ処理装置１１へ送出する。
このようにして、無人の送信局で取得された観測データが受信局のデータ処理装置１１により処理される。
なお、受信局の担当係員が、送信データのパケット数の確認を要する場合または観測データの送信を停止する場合には、上記と同様にして入力された動作指示が受信局ＡＴＭ端末１５、ＡＴＭ通信網６、送信局ＡＴＭ端末５を介して送信局端末７に伝えられ、送信局端末７は画面に表示したパケット数または「停止」表示の表示変更等の応答を画面共有手段により受信局端末１７に送信して該当する送信局の表示領域に同時に表示する。
【００５９】
上記のようにして、本実施例の受信局による送信局の遠隔制御が行われる。
以上説明したように、本実施例では、送信局ＡＴＭ端末、受信局ＡＴＭ端末、ＡＴＭ通信網により送信局端末と受信局端末を接続して互いの指令や応答の送受を可能にしたことによって、上記実施例１と同様の効果を得ることができる。
【図面の簡単な説明】
【００６０】
【図１】実施例１の遠隔制御システムを示すブロック図
【図２】実施例１のパケット構成を示す説明図
【図３】実施例２の遠隔制御システムを示すブロック図
【図４】実施例３の遠隔制御システムを示すブロック図
【符号の説明】
【００６１】
１    サンプラ装置
２    送信局接続装置
３ａ、１３ａ  データポート
３ｂ、１３ｂ  出力ポート
３ｃ、１３ｃ  入力ポート
３ｄ、１３ｄ  接続ポート
３ｅ、１３ｅ  ＬＡＮポート
４    送信局接続制御部
５    送信局ＡＴＭ端末
６    ＡＴＭ通信網
７    送信局端末
８    送信局終端装置
９    公衆網
１１  データ処理装置
１２  受信局接続装置
１４  受信局接続制御部
１５  受信局ＡＴＭ端末
１７  受信局端末
１８  受信局終端装置
２１  ヘッダ部
２２  データ部
３１ａ、３１ｂ  合成部
３２ａ、３２ｂ  分離部
３５ａ、３５ｂ  指示送受部
【図１】
2005348263.tif 000003
【図２】
2005348263.tif 000004
【図３】
2005348263.tif 000005
【図４】
2005348263.tif 000006